(57)【特許請求の範囲】
【請求項１】
スピーカユニットをそれぞれ内蔵した左耳用および右耳用ハウジングと、
前記左耳用および右耳用ハウジングにそれぞれ取り付けられ、聴取者の耳の周囲を覆うように構成された環状の緩衝部材である、イヤパッドとを備え、
前記イヤパッドは、
耳の上方を覆うための上部と、前記上部の下に位置する下部とを有し、
前記上部と前記下部とは硬度が異なっており、かつ、前記上部は、前記下部よりも硬度が低い
ことを特徴とする密閉型ヘッドフォン。
【請求項２】
請求項１において、
前記イヤパッドは、前記上部が聴取者のメガネのツルの位置に当たるように、構成されている
ことを特徴とする密閉型ヘッドフォン。
【請求項３】
請求項１または２において、
前記イヤパッドは、緩衝用素材がシートに包まれた構成であり、
前記緩衝用素材として、前記上部には、相対的に軟質な第１素材が用いられ、前記下部には、相対的に硬質な第２素材が用いられ、
前記上部において、前記第１素材と前記シートとは、接着固定されていない
ことを特徴とする密閉型ヘッドフォン。
【請求項４】
請求項３において、
前記上部と前記下部との境界部分において、前記第１素材と前記第２素材とは、接着されている、または、一体に形成されている
ことを特徴とする密閉型ヘッドフォン。
【請求項５】
請求項１〜４のうちいずれか１項において、
前記左耳用および右耳用ハウジングをそれぞれ支持する左アームおよび右アームと、
前記左アームと前記右アームとを連結するように構成されたヘッドバンドとを備え、
前記左アームおよび右アームはそれぞれ、前記左耳用または右耳用ハウジングを、聴取者の耳側方において前後方向の軸の周りに回動可能なように、支持しており、
前記イヤパッドの前記上部と前記下部との境界部分は、前記軸の位置よりも上側に位置している
ことを特徴とする密閉型ヘッドフォン。
【請求項６】
請求項５において、
前記ヘッドバンドの、聴取者の頭側に設けられ、前記左アームと前記右アームとに接続された収縮自在なヘッドパッドゴムを備えている
ことを特徴とする密閉型ヘッドフォン。
【発明の詳細な説明】
【技術分野】
【０００１】
本開示は、オーディオ信号を再生するヘッドフォンに関するものである。
【背景技術】
【０００２】
特許文献１は、メガネやイヤリングを装着している聴取者向けのヘッドフォンを開示する。このヘッドフォンは、スピーカユニットを内蔵した左右のハウジングに取り付けられたパッドに、装着時にメガネのツルが当たる位置に切欠部が設けられている。
【先行技術文献】
【特許文献】
【０００３】
【特許文献１】特開２００２−１０１４８３号公報
【発明の概要】
【発明が解決しようとする課題】
【０００４】
本開示は、メガネをかけた聴取者であっても、快適に装着可能であり、かつ、耳周囲の密閉性を維持できるヘッドフォンを提供する。
【課題を解決するための手段】
【０００５】
本開示における密閉型ヘッドフォンは、スピーカユニットをそれぞれ内蔵した左耳用および右耳用ハウジングと、前記左耳用および右耳用ハウジングにそれぞれ取り付けられ、聴取者の耳の周囲を覆うように構成された環状の緩衝部材であるイヤパッドとを備え、前記イヤパッドは、耳の上方を覆うための上部と、前記上部の下に位置する下部とを有し、前記上部と前記下部とは硬度が異なっており、かつ、前記上部は、前記下部よりも硬度が低い。
【発明の効果】
【０００６】
本開示におけるヘッドフォンは、メガネをかけた聴取者であっても、快適に装着可能であり、かつ、耳周囲の密閉性を維持できる。
【図面の簡単な説明】
【０００７】
【図１】実施の形態に係る密閉型ヘッドフォンの正面図
【図２】実施の形態に係る密閉型ヘッドフォンの平面図
【図３】実施の形態に係る密閉型ヘッドフォンの右側面図
【図４】実施の形態に係る密閉型ヘッドフォンのイヤパッドの断面図
【図５】実施の形態に係る密閉型ヘッドフォンを聴取者が装着した状態を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
［１−１．構成］
図１〜図３は実施形態に係る密閉型ヘッドフォンの構成を示す図であり、図１は正面図、図２は平面図、図３は右側面図である。図１〜図３において、１１１ａは左耳用イヤパッド、１１１ｂは左耳用ハウジング、１１２ａは右耳用イヤパッド、１１２ｂは右耳用ハウジングである。左耳用ハウジング１１１ｂおよび右耳用ハウジング１１２ｂにはそれぞれスピーカユニットが内蔵されており、その前面すなわち聴取者の耳に対向する面には、音響エネルギーを放射するための孔部（図示せず）が設けられている。そして、その孔部を囲むように、左耳用イヤパッド１１１ａと右耳用イヤパッド１１２ａが、左耳用ハウジング１１１ｂおよび右耳用ハウジング１１２ｂにそれぞれ取り付けられている。左耳用イヤパッド１１１ａおよび右耳用イヤパッド１１２ａは、聴取者の耳全体を覆うように構成された環状の緩衝部材である。
【００１１】
また、１１３はヘッドバンド、１１４ａはヘッドパッド、１１４ｂはヘッドパッドゴム、１１５は左アーム、１１６は右アームである。左アーム１１５および右アーム１１６は、左耳用ハウジング１１１ｂおよび右耳用ハウジング１１２ｂをそれぞれ支持しており、ヘッドバンド１１３が左アーム１１５および右アーム１１６を連結している。左耳用ハウジング１１１ｂおよび右耳用ハウジング１１２ｂは、ヘッドバンド１１３と左アーム１１５および右アーム１１６とによって、スピーカユニットの孔部が対向するよう、内向きに支持されている。また、左アーム１１５および右アーム１１６はそれぞれ、左耳用ハウジング１１１ｂおよび右耳用ハウジング１１２ｂを、聴取者の耳側方においてその前後方向の軸周りに回動可能なように、支持している。この構成により、聴取者がこのヘッドフォンを装着したとき、左イヤパッド１１１ａが聴取者の左耳に密着して当接するとともに、右イヤパッド１１２ａが聴取者の右耳に密着して当接する。
【００１２】
ヘッドバンド１１３の内側すなわち聴取者の頭の側には、聴取者の頭部に載置するヘッドパッド１１４ａと、このヘッドパッド１１４ａの中空部に挿入された、収縮自在なヘッドパッドゴム１１４ｂとが設けられている。ヘッドパッドゴム１１４ｂは、左耳用ハウジング１１１ｂを支持する左アーム１１５と、右耳用ハウジング１１２ｂを支持する右アーム１１６とに接続されている。この構成により、聴取者がこのヘッドフォンを装着したとき、聴取者の頭部の大きさに合わせてヘッドパッドゴム１１４ａの長さが可変して、左ハウジング１１１ｂと右ハウジング１１２ｂが聴取者の耳の位置に配置される。
【００１３】
また、このヘッドフォンへの音声信号は、例えば無線により送信され、図示していない電気回路によって受信・増幅されて、左耳用ハウジング１１１ｂおよび右耳用ハウジング１１２ｂに内蔵されたスピーカユニットで再生される。あるいは、コードを介してヘッドフォンに入力され、左耳用ハウジング１１１ｂおよび右耳用ハウジング１１２ｂに内蔵されたスピーカユニットで再生される。
【００１４】
図４はイヤパッドの構造を示す図であり、図１の右イヤパッド１１２ａの線Ａ−Ａにおける断面図である。なお、左イヤパッド１１１ａも同様の構成である。図４に示すように、イヤパッドは、緩衝用素材６０１，６０２がシート６０３に包まれた構成であり、聴取者の耳の周囲を十分に余裕隙間をもって包み込む内径をもって、環状に構成されている。緩衝用素材６０１，６０２は例えば、ポリウレタン樹脂や合成ゴム等の素材を発泡させて柔らかくしたものである。シート６０３は例えば、柔軟で遮音性のある合成皮革、塩化ビニール、布などからなる。
【００１５】
そして、耳の上方を覆う上部Ｐ１には、発泡率が高く軟らかい軟質スポンジ６０１が用いられ、上部Ｐ１の下に位置する下部Ｐ２には、発泡率が低く硬い硬質スポンジ６０２が用いられている。すなわち、このイヤパッドは、聴取者がメガネをかけた状態で本実施形態のヘッドフォンを装着したとき、軟質スポンジ６０１が入っている上部Ｐ１がメガネのツルの位置に当たるように、構成されている。なお、軟質スポンジ６０１とシート６０３とは、接着固定されていない。また、上部Ｐ１と下部Ｐ２との境界部分において、軟質スポンジ６０１と硬質スポンジ６０２とは、接着固定されている、または、一体に形成されている。
【００１６】
［１−２．作用］
以上のように構成されたヘッドフォンについて、その作用を説明する。
【００１７】
図５はメガネをかけた聴取者が本実施形態に係るヘッドフォンを装着した状態を示す図である。メガネ４０２をかけた聴取者４０１は、両手で左耳用ハウジング１１１ｂと右耳用ハウジング１１２ｂを持って、ヘッドバンド１１３を広げて頭部にヘッドパッド１１４ａを当てて、左耳用イヤパッド１１１ａが左耳たぶ周囲を包み込むように、右耳用イヤパッド１１２ａが右耳たぶ周囲を包み込むように、ヘッドフォンを装着する。このとき、収縮自在なヘッドパッドゴム１１４ｂは聴取者４０１の頭部と耳との位置関係に合わせて長さが可変するので、左耳用イヤパッド１１１ａと右耳用イヤパッド１１２ａとが耳たぶ周囲を包み込む位置からずれることはない。
【００１８】
この状態において、聴取者４０１がかけているメガネ４０２のツルは、左耳用イヤパッド１１１ａおよび右耳用イヤパッド１１２ａの上部Ｐ１（図５でハッチを付している）、すなわち軟質スポンジ６０１が緩衝用素材として用いられた部分に当接している。軟質スポンジ６０１は軽い力で沈み込むため、上部Ｐ１では、メガネ４０２のツルが当接する部分が、ツルに押されて沈みこむ。一方、硬質スポンジ６０２が緩衝用素材として用いられた下部Ｐ２は、十分に硬いためほとんど沈み込むことはなく、これにより、聴取者４０１の耳と左耳用ハウジング１１１ｂおよび右耳用ハウジング１１２ｂとの間にはそれぞれ一定の距離が保たれる。このため、軟質スポンジ６０１が用いられた上部Ｐ１は、全体としてその一定の距離以上に沈み込むことはなく、したがって、メガネ４０２のツルが当接する部分のみが、ツルを包み込むように、沈み込んだ状態となる。
【００１９】
これにより、メガネ４０２をかけた聴取者４０１は、左耳用イヤパッド１１１ａと右耳用イヤパッド１１２ａによってメガネ４０２のツルが強く押圧されることがなく、快適にヘッドフォンを使用することができる。加えて、左耳用イヤパッド１１１ａおよび右耳用イヤパッド１１２ａとメガネ４０２のツルとの間に隙間が生じないので、密閉性が保たれ、音漏れにより遮音性能や低音再生性能が劣化することがない。
【００２０】
また、聴取者４０１がメガネをかけていない場合は、上部Ｐ１が沈み込むことはなく、密閉性が保たれる。すなわち、本実施形態のヘッドフォンは、メガネの装着の有無に関係なく装着可能で、かつ耳周囲の密閉性を維持することができる。
【００２１】
［１−３．効果等］
従来の構成では、イヤパッドにおいてメガネのツルを避けるように切欠部を設けていたので、切欠部から音漏れが発生したり、あるいは、切欠部の位置が固定されているため、メガネのツルの幅によってはパッドの装着位置がうまく調節できず、聴取者に不快感を与えてしまう、というような問題があった。
【００２２】
これに対して本実施形態によると、密閉型ヘッドフォンについて、環状に構成されたイヤパッドを、上部Ｐ１に軟質スポンジ６０１を用い、下部Ｐ２に硬質スポンジ６０２を用いて構成した。これにより、メガネをかけている聴取者も快適に使用できるとともに、音漏れによる遮音性能や低音再生性能の劣化を防止することができる。
【００２３】
さらに、近年、３Ｄ画像の視聴を楽しむためのＡＶシステムが普及しつつあり、３Ｄ画像用のメガネを着用したユーザがヘッドフォンを装着する場合が増えている。３Ｄ画像用メガネのツルは、通常のメガネよりもサイズが大きく、例えば幅が１５ｍｍ、厚さが８ｍｍ程度のものがある。本実施形態の密閉型ヘッドフォンでは、３Ｄ画像用メガネと併せて装着する場合であっても、ツルが耳に押しつけられることによる不快感・疲労感がなく、また音漏れもないため、非常に有用である。また、メガネのツルの幅や厚さに関係なく、上のような効果が得られる。
【００２４】
なお、部材の材料名等は一例であり、これに限定されるものではない。
【００２５】
なお、上部Ｐ１において、軟質スポンジ６０１とその外側を包むシート６０３とは接着固定されていないので、軟質スポンジ６０１とシート６０３との接触部にはすべりがあり、軟質スポンジ６０１はより沈み込みやすくなっている。このため、メガネ４０２のツルが当接する部分がより軽い力で沈みこむので、装着時の快適性が向上する。
【００２６】
また、上部Ｐ１と下部Ｐ２との境界部分は、左耳用ハウジング１１１ｂおよび右耳用ハウジング１１２ｂが回動する軸よりも上側に位置していることが好ましい。これにより、回動軸が、硬度が相対的に高い下部Ｐ２に位置するため、左耳用ハウジング１１１ｂおよび右耳用ハウジング１１２ｂの装着位置がより安定する。
【００２７】
（他の実施形態）
以上のように、本出願において開示する技術の例示として、実施の形態１を説明した。しかしながら、本開示における技術は、これに限定されず、適宜、変更、置き換え、付加、省略などを行った実施の形態にも適用可能である。
【００２８】
そこで、以下、他の実施の形態を例示する。
【００２９】
上述の実施形態では、イヤパッドの構造を、上部と下部との２つに分けたものとしたが、これに限られるものではない。例えば、ツルが当たる部分のみを軟質スポンジとし、その上部と下部とを硬質スポンジとした３部構造としてもかまわない。ただし、構造が複雑になるとその分、製造コストが高くなる。
【００３０】
また、上述の実施形態では、イヤパッドの緩衝用素材を発泡スポンジとしたが、イヤパッドの内部構造は、これに限られるものではない。例えば、Ｕ字形状のゴムをリング状に形成したものをイヤパッドとし、ゴムの肉厚を変えることによって、硬度の差を作るようにしてもかまわない。
【００３１】
以上のように、本開示における技術の例示として、実施の形態を説明した。そのために、添付図面および詳細な説明を提供した。
【００３２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３３】
また、上述の実施の形態は、本開示における技術を例示するためのものであるから、特許請求の範囲またはその均等の範囲において種々の変更、置き換え、付加、省略などを行うことができる。
【産業上の利用可能性】
【００３４】
本開示は、メガネをかけた聴取者であっても、快適に装着可能であり、かつ、耳周囲の密閉性を維持できるヘッドフォンに適用可能である。具体的には例えば、３Ｄ映像システム等に本開示は有用である。
【符号の説明】
【００３５】
１１１ａ  左耳用イヤパッド
１１１ｂ  左耳用ハウジング
１１２ａ  右耳用イヤパッド
１１２ｂ  右耳用ハウジング
１１３  ヘッドバンド
１１４ａ  ヘッドパッド
１１４ｂ  ヘッドパッドゴム
１１５  左アーム
１１６  右アーム
４０１  聴取者
４０２  メガネ
６０１  軟質スポンジ
６０２  硬質スポンジ
６０３  シート
【図１】
0006032499.tif 000002
【図２】
0006032499.tif 000003
【図３】
0006032499.tif 000004
【図４】
0006032499.tif 000005
【図５】
0006032499.tif 000006